(57)【要約】【課題】  両サイドに壁面がなくても施工でき、直線状、螺旋状に限らず、自由な曲線状の階段を構築することができる階段構築用連結部材及び階段の構築方法を提供すること。【解決手段】  上端縁に階段用の踏板を取り付けるためのフランジを形成し、前方が円弧状に突出し、後方が円弧状の凹部となるように成形した中空の階段構築用連結部材の前方突出部を前位にある階段構築用連結部材の後方凹部に嵌合させ、この嵌合部分においてボルト、ナットにより前方突出部と後方凹部の壁面同士を一体化することを複数の階段構築用連結部材において繰り返して所望の階段構築ラインを形成し、ライン形成後それぞれの階段構成用連結部材の上端縁のフランジに階段用の踏板を取り付けたことを特徴とする。【選択図】        図９
2006009550.tif 000002
【特許請求の範囲】
【請求項１】
上端縁に階段用の踏板を取り付けるためのフランジを形成し、前方が円弧状に突出し、後方が円弧状の凹部となるように成形した中空の階段構築用連結部材。
【請求項２】
上端縁に階段用の踏板を取り付けるためのフランジを形成し、前方が円弧状に突出し、後方が円弧状の凹部となるように成形した中空の階段構築用連結部材の前方突出部を前位にある階段構築用連結部材の後方凹部に嵌合させ、この嵌合部分においてボルト、ナットにより前方突出部と後方凹部の壁面同士を一体化することを複数の階段構築用連結部材において繰り返して所望の階段構築ラインを形成し、ライン形成後それぞれの階段構成用連結部材の上端縁のフランジに階段用の踏板を取り付けたことを特徴とする階段の構築方法。
【請求項３】
請求項２記載の階段構築方法において、階段構築用連結部材の後方凹部の壁面に水平の長孔を形成し、前方突出部と後方凹部の嵌合部分においてボルト、ナットにより一体化する際にこの長孔に挿通されたボルトで締結することによって後位の階段構築用連結部材の連結角度を可変することができるようにしたことを特徴とする請求項２記載の階段の構築方法。
【請求項４】
請求項２記載の階段構築方法において、階段構築用連結部材の後方凹部の壁面に角孔を形成し、該角孔の幅より広幅で水平の長孔を形成した連結用スライド板を階段構築用連結部材の後方凹部の壁面に装着し、前方突出部と後方凹部の嵌合部分においてボルト、ナットにより一体化する際にこの連結用スライド板の長孔に挿通されたボルトで締結することによって後位の階段構築用連結部材の連結角度及び連結高さを可変することができるようにしたことを特徴とする請求項２記載の階段の構築方法。
【請求項５】
請求項２記載の階段構築方法において、階段構築用連結部材の後方凹部の壁面に角孔を形成し、階段構築用連結部材の一部に嵌合係止される、水平の長孔を形成した連結用スライド板を階段構築用連結部材の後方凹部の壁面に装着し、前方突出部と後方凹部の嵌合部分においてボルト、ナットにより一体化する際にこの連結用スライド板の長孔に挿通されたボルトで締結することによって後位の階段構築用連結部材の連結角度及び連結高さを可変することができるようにしたことを特徴とする請求項２記載の階段の構築方法。
【発明の詳細な説明】
【技術分野】
【０００１】  本発明は、階段を構築するための連結部材及びこの連結部材を利用した階段の構築方法に関するものである。
【発明の開示】
【発明が解決しようとする課題】
【０００２】  一般に、階段といえば床スラブ面を傾斜面とし、その両サイドの壁面に固定金具によって階段用の踏板を取り付けた直線状のものであった。【０００３】  また、両サイドに壁面がない場所で階段を施工するものとして、支柱を立ててその周りに階段用の踏板を配列する所謂螺旋階段がある。【０００４】  然しながら、この従来の階段の施工方法にあっては、前者の場合には直線状で、且つ、両サイドに壁面がなければ施工できず、また、後者の場合には支柱を中心にした円柱状の階段しか施工できなかった。
【発明の目的】
【０００５】  本発明は、両サイドに壁面がなくても施工でき、直線状、螺旋状に限らず、自由な曲線状の階段を構築することができる階段構築用連結部材及び階段の構築方法を提供することを目的とするものである。
【課題を解決するための手段】
【０００６】  本発明の請求項１に係る階段構築用連結部材は、上端縁に階段用の踏板を取り付けるためのフランジを形成し、前方が円弧状に突出し、後方が円弧状の凹部となるように成形した中空の階段構築用連結部材である。
【０００７】  本発明の請求項２に係る階段の構築方法は、上端縁に階段用の踏板を取り付けるためのフランジを形成し、前方が円弧状に突出し、後方が円弧状の凹部となるように成形した中空の階段構築用連結部材の前方突出部を前位にある階段構築用連結部材の後方凹部に嵌合させ、この嵌合部分においてボルト、ナットにより前方突出部と後方凹部の壁面同士を一体化することを複数の階段構築用連結部材において繰り返して所望の階段構築ラインを形成し、ライン形成後それぞれの階段構成用連結部材の上端縁のフランジに階段用の踏板を取り付けたことを特徴とするものである。
【０００８】  本発明の請求項３に係る階段の構築方法は、請求項２記載の階段構築方法において、階段構築用連結部材の後方凹部の壁面に水平の長孔を形成し、前方突出部と後方凹部の嵌合部分においてボルト、ナットにより一体化する際にこの長孔に挿通されたボルトで締結することによって後位の階段構築用連結部材の連結角度を可変することができるようにしたことを特徴とするものである。
【０００９】  本発明の請求項４に係る階段の構築方法は、請求項２記載の階段構築方法において、階段構築用連結部材の後方凹部の壁面に角孔を形成し、該角孔の幅より広幅で水平の長孔を形成した連結用スライド板を階段構築用連結部材の後方凹部の壁面に装着し、前方突出部と後方凹部の嵌合部分においてボルト、ナットにより一体化する際にこの連結用スライド板の長孔に挿通されたボルトで締結することによって後位の階段構築用連結部材の連結角度及び連結高さを可変することができるようにしたことを特徴とするものである。
【００１０】  本発明の請求項５に係る階段の構築方法は、請求項２記載の階段構築方法において、階段構築用連結部材の後方凹部の壁面に角孔を形成し、後方凹部の隅に嵌合係止される、水平の長孔を形成した連結用スライド板を階段構築用連結部材の後方凹部の壁面に装着し、前方突出部と後方凹部の嵌合部分においてボルト、ナットにより一体化する際にこの連結用スライド板の長孔に挿通されたボルトで締結することによって後位の階段構築用連結部材の連結角度及び連結高さを可変することができるようにしたことを特徴とするものである。
【発明の作用】
【００１１】  本発明は、階段構築用連結部材を順次連結していくことによって支柱を構成しながら階段を構築する方法であって、請求項１の階段構築用連結部材は支柱構成体の作用をし、階段構築用連結部材の連結角度を変えることによって直線状、螺旋状の階段に限らず、自由な曲線状の階段を構築することができる。
【実施例】
【００１２】  図１は、本発明に係る階段構築用連結部材の平面図、図２は、同部材の正面図、図３は、同部材の背面図、図４は、同部材の底面図、図５は、同部材の側面図、図６は、同部材の斜視図、図７は、階段施工状態の斜視図、図８は、階段構築の方法を示す概略斜視図、図９は、階段構築用連結部材の連結状態を表わす概略平面図である。【００１３】  図において、１は、上端縁に階段用の踏板Ｔを取り付けるためのフランジ１−１が形成され、前方には円弧状に膨らむ突出部１−２が形成され、後方には前記突出部１−２の壁面の湾曲率と同じ湾曲率の円弧状の凹部１−３が形成されたアルミダイキャスト等により成形される請求項１に対応する中空の階段構築用連結部材であって、凹部１−３の壁面には端縁に後述する連結用スライド板の両端が面接する角孔１−３ａが形成され、前記突出部１−２の壁面には後述する連結用スライド板に形成された長孔にボルトを挿通するための２個の丸孔１−２ａ、１−２ａが形成されている。【００１４】  ２は、前記階段構築用連結部材１、１同士を連結するための凹部１−３の壁面と同じ湾曲率に曲げてある連結用スライド板であって、前記階段構築用連結部材１の角孔１−３ａの幅より広い幅で、上下に前記階段構築用連結部材１、１同士を連結するためのボルトを挿通するための水平の長孔２−１、２−１が形成されている。【００１５】  この連結用スライド板２を使って階段構築用連結部材１、１同士を連結する方法は、連結用スライド板２の両端を前位の階段構築用連結部材１の凹部１−３の角孔１−３ａの端縁に面接するように装着し、後位の階段構築用連結部材１の前方突出部１−２の壁面に形成された丸孔１−２ａ、１−２ａから挿通したボルトを連結用スライド板２の長孔２−１、２−１に挿通させ、このボルト端部にナットを螺着させ、ボルト、ナットを緊締することによって階段構築用連結部材１、１同士を連結するのであるが、長孔２−１、２−１の中央でボルト、ナットを緊締すれば、階段構築用連結部材１、１同士は直線状に連結され、連結方向及び連結角度を変える必要がある場合は、ボルト、ナットを緊締する前に所望の方向で所望の角度に後位の階段構築用連結部材１を水平に回転させ、連結高さを変えたいときには後位の階段構築用連結部材１を所望の高さにスライドさせて決定した位置でボルト、ナットを緊締すればよいもので、長孔２−１、２−１内をボルトが移動できる範囲内で連結角度が可変でき、角孔１−３ａの縦方向の長さの範囲内で連結高さが可変できるものである。【００１６】  即ち、前述の階段構築用連結部材１、１同士の連結方法を複数の階段構築用連結部材１・・・１において順次繰り返して行い、所望の階段構築ラインを形成するもので、階段施工の基点となる１階の床には円盤に円筒状のパイプを立てたベースプレート３を取り付け、階段構築用連結部材１の下部を切断した形状のベース支柱４を適宜固着し、このベース支柱４の凹部に最初の階段構築用連結部材１の突出部１−２を嵌合させ、前述の階段構築用連結部材１、１同士の連結方法と同じ方法によって連結すればよく、また、最終の階段構築用連結部材１は２階の床の側端に取付金具を介して固定すれば階段の構築が完了するので、連結され��階段構築用連結部材１・・・１のそれぞれのフランジ１−１に階段用の踏板Ｔを載せ、下からネジにて固着すれば階段が完成する。【００１７】  尚、本実施例では、説明を簡単にするために１階の床を基点として階段を構築する手順で説明したが、実際には寸法誤差等を修正し易いように２階の床の部分から１階の床の部分にかけて階段構築用連結部材１・・・１を順次連結していく方法が採用される。【００１８】  また、本実施例では、連結角度が可変でき、且つ、連結高さが可変できるように別体の連結用スライド板を使用したが、連結高さの調節を必要としない場合は請求項３のように階段構築用連結部材の後方凹部の壁面に水平の長孔を形成しておけばよいものである。【００１９】  また、本実施例では、連結用スライド板２の幅を角孔３−１ａの幅より広くして角孔３−１ａの端縁で連結用スライド板２を保持するようにしてあるが、連結用スライド板２の幅を狭くしても連結用スライド板２の端部が階段構築用連結部材１の一部に嵌合係止できるようにしてあれば、角孔３−１ａの端縁で保持しなくても連結用スライド板２を保持することができるが、この場合階段構築用連結部材同士の連結方向を変えるときには左右逆の部分に連結用スライド板２を移動させて係止する必要がある。
【発明の効果】
【００２０】  以上述べたように、本発明に係る階段構築用連結部材を利用した階段の構築方法は、上端縁に階段用の踏板を取り付けるためのフランジを形成し、前方が円弧状に突出し、後方が円弧状の凹部となるように成形した中空の階段構築用連結部材を順次連結していくことによって支柱を構成しながら階段を構築する方法であって、請求項１の階段構築用連結部材は支柱構成体の作用をし、この支柱構成体となる階段構築用連結部材の連結角度を変えることによって直線状、螺旋状の階段に限らず、自由な曲線状の階段を構築することができるものであって、階段構築用連結部材という支柱を積み上げていくというきわめて斬新な階段の構築方法といえるものである。
【図面の簡単な説明】
【００２１】
【図１】本発明に係る階段構築用連結部材の平面図である。
【図２】同部材の正面図である。
【図３】同部材の背面図である。
【図４】同部材の底面図である。
【図５】同部材の側面図である。
【図６】同部材の斜視図である。
【図７】階段施工状態の斜視図である。
【図８】階段構築の方法を示す概略斜視図である。
【図９】階段構築用連結部材の連結状態を表わす概略平面図である。
【符号の説明】
【００２２】      １          階段構築用連結部材
２          連結用スライド板
【図１】
2006009550.tif 000003
【図２】
2006009550.tif 000004
【図３】
2006009550.tif 000005
【図４】
2006009550.tif 000006
【図５】
2006009550.tif 000007
【図６】
2006009550.tif 000008
【図７】
2006009550.tif 000009
【図８】
2006009550.tif 000010
【図９】
2006009550.tif 000011